(57)【要約】【課題】複数のページからなる文書データについての確認作業を効率化する形式で文書データのサムネイル画像が表示される。【解決手段】画像情報生成装置であって、複数のページからなる文書データを取得する文書データ取得手段と、前記複数のページのうち、識別表示する領域を含む１または複数のページをグループとして識別するページ情報を取得するページ情報取得手段と、前記各ページに対応するサムネイルを順に前記ページ情報で識別されるページを含むグループ毎に行または列方向に分けて表示するサムネイル画像情報を生成するサムネイル画像情報生成手段と、を含む。【選択図】図２
2014112333.tif 000002
【特許請求の範囲】
【請求項１】
複数のページからなる文書データを取得する文書データ取得手段と、
前記複数のページのうち、識別表示する領域を含む１または複数のページをグループとして識別するページ情報を取得するページ情報取得手段と、
前記各ページに対応するサムネイルを順に前記ページ情報で識別されるページを含むグループ毎に行または列方向に分けて表示するサムネイル画像情報を生成するサムネイル画像情報生成手段と、
を含むことを特徴とする画像情報生成装置。
【請求項２】
前記ページ情報は、前記識別表示する領域の位置を表す位置情報を含むことを特徴とする請求項１記載の画像情報生成装置。
【請求項３】
前記各グループは、最初に前記ページ情報で識別されるページを含むことを特徴とする請求項１記載の画像情報生成装置。
【請求項４】
前記サムネイル画像情報生成手段は、前記領域を拡大表示するサムネイル画像情報を生成することを特徴とする請求項１記載の画像情報生成装置。
【請求項５】
前記サムネイル画像情報生成装置は、前記サムネイルのサイズ及び前記領域のサイズに基づいて、拡大表示するサムネイル画像情報を生成することを特徴とする請求項４記載の画像情報生成装置。
【請求項６】
複数ページからなる文書データを取得する文書データ取得手段と、
前記複数のページのうち、識別表示する領域を含む１または複数のページを指定するページ指定手段と、
前記領域を指定する領域指定手段と、
前記指定されたページを識別するページ識別情報及び前記指定された領域の位置を表す位置情報を関連付けたページ情報を生成するページ情報生成手段と、
を含むことを特徴とする情報処理装置。
【請求項７】
前記情報処理装置は、更に、前記文書データの種別を認識するパターン情報取得手段を有し、前記領域指定手段は、前記パターン情報に基づいて、前記領域を指定することを特徴とする請求項６記載の情報処理装置。
【請求項８】
複数のページからなる文書データを取得する文書データ取得手段、
前記複数のページのうち、識別表示する領域を含む１または複数のページをグループとして識別するページ情報を取得するページ情報取得手段、及び、
前記各ページに対応するサムネイルを順に前記ページ情報で識別されるページを含むグループ毎に行または列方向に分けて表示するサムネイル画像情報を生成するサムネイル画像情報生成手段、
としてコンピュータを機能させることを特徴とする画像情報生成プログラム。
【請求項９】
複数ページからなる文書データを取得する文書データ取得手段、
前記複数のページのうち、識別表示する領域を含む１または複数のページを指定するページ指定手段、
前記領域を指定する領域指定手段、及び、
前記指定されたページを識別するページ識別情報及び前記指定された領域の位置を表す位置情報を関連付けたページ情報を生成するページ情報生成手段、
としてコンピュータを機能させることを特徴とする情報処理プログラム。
【発明の詳細な説明】
【技術分野】
【０００１】
本発明は、画像情報生成装置、情報処理装置、画像情報生成プログラム、及び、情報処理プログラムに関する。
【背景技術】
【０００２】
複数のページからなる文書データの１ページ目の画像を縮小してサムネイル画像として表示する技術が知られている。具体的には、例えば、下記特許文献１には、文書の特定を容易にするため、ユーザが設定した条件に応じて各ページの重要度を算出し、重要度の最も高いページのサムネイル画像を当該文書のサムネイル画像として表示する技術が開示されている。
【先行技術文献】
【特許文献】
【０００３】
【特許文献１】特開２０１０−１２８５１８号公報
【発明の概要】
【発明が解決しようとする課題】
【０００４】
複数のページからなる文書データについて識別表示する領域を含むページのグループ毎に行又は列方向に分けて表示する画像情報生成装置、情報処理装置、画像情報生成プログラム、及び、情報処理プログラムを提供する。
【課題を解決するための手段】
【０００５】
請求項１に記載の画像情報生成装置は、複数のページからなる文書データを取得する文書データ取得手段と、前記複数のページのうち、識別表示する領域を含む１または複数のページをグループとして識別するページ情報を取得するページ情報取得手段と、前記各ページに対応するサムネイルを順に前記ページ情報で識別されるページを含むグループ毎に行または列方向に分けて表示するサムネイル画像情報を生成するサムネイル画像情報生成手段と、を含むことを特徴とする。
【０００６】
請求項２に記載の画像情報生成装置は、請求項１記載の画像情報生成装置において、前記ページ情報は、前記識別表示する領域の位置を表す位置情報を含むことを特徴とする。
【０００７】
請求項３に記載の画像情報生成装置は、請求項１記載の画像情報生成装置において、前記各グループは、最初に前記ページ情報で識別されるページを含むことを特徴とする。
【０００８】
請求項４に記載の画像情報生成装置は、請求項１記載の画像情報生成装置において、前記サムネイル画像情報生成手段は、前記領域を拡大表示するサムネイル画像情報を生成することを特徴とする。
【０００９】
請求項５に記載の画像情報生成装置は、請求項４記載の画像情報生成装置において、前記サムネイル画像情報生成装置は、前記サムネイルのサイズ及び前記領域のサイズに基づいて、拡大表示するサムネイル画像情報を生成することを特徴とする。
【００１０】
請求項６に記載の情報処理装置は、複数ページからなる文書データを取得する文書データ取得手段と、前記複数のページのうち、識別表示する領域を含む１または複数のページを指定するページ指定手段と、前記領域を指定する領域指定手段と、前記指定されたページを識別するページ識別情報及び前記指定された領域の位置を表す位置情報を関連付けたページ情報を生成するページ情報生成手段と、を含むことを特徴とする。
【００１１】
請求項７に記載の情報処理装置は、請求項６に記載の情報処理装置において、更に、前記文書データの種別を認識するパターン情報取得手段を有し、前記領域指定手段は、前記パターン情報に基づいて、前記領域を指定することを特徴とする。
【００１２】
請求項８に記載の画像情報生成プログラムは、複数のページからなる文書データを取得する文書データ取得手段、前記複数のページのうち、識別表示する領域を含む１または複数のページをグループとして識別するページ情報を取得するページ情報取得手段、及び、前記各ページに対応するサムネイルを順に前記ページ情報で識別されるページを含むグループ毎に行または列方向に分けて表示するサムネイル画像情報を生成するサムネイル画像情報生成手段、としてコンピュータを機能させることを特徴とする。
【００１３】
請求項９に記載の情報処理プログラムは、複数ページからなる文書データを取得する文書データ取得手段、前記複数のページのうち、識別表示する領域を含む１または複数のページを指定するページ指定手段、前記領域を指定する領域指定手段、及び、前記指定されたページを識別するページ識別情報及び前記指定された領域の位置を表す位置情報を関連付けたページ情報を生成するページ情報生成手段、としてコンピュータを機能させることを特徴とする。
【発明の効果】
【００１４】
請求項１乃至３、６、８、９の発明によれば、複数のページからなる文書データについて識別表示する確認に必要な領域を含むページのグループ毎に行又は列方向に分けて表示される。
【００１５】
請求項４の発明によれば、確認に必要な上記領域が拡大されて識別表示される。
【００１６】
請求項５の発明によれば、確認に必要な上記領域がサムネイルの大きさに応じて拡大されて識別表示される。
【００１７】
請求項７の発明によれば、予め設定されたパターンに応じて識別表示する領域が指定される。
【図面の簡単な説明】
【００１８】
【図１】本発明の実施形態に係る情報処理システムのハードウェア構成の概要について説明するための図である。
【図２】画像情報生成装置における制御部の機能的構成の一例を示す図である。
【図３】ページ情報の一例を示す図である。
【図４】図２に示したサムネイル画像情報生成部の機能的構成の一例を示す図である。
【図５】段組表示するサムネイル画像情報の一例を示す図である。
【図６】情報処理装置における制御部の機能的構成の一例を示す図である。
【図７】情報処理装置のフローの一例を示す図である。
【図８】画像情報生成装置のフローの一例を示す図である。
【図９】本実施の形態の変形例におけるサムネイル画像情報生成部の機能的構成の一例を示す図である。
【図１０】本実施の形態の変形例の一例について説明するための図である。
【図１１】本実施の形態の変形例の一例について説明するための図である。
【図１２】本実施の形態の他の変形例の一例について説明するための図である。
【図１３】本実施の形態の他の変形例の一例について説明するための図である。
【発明を実施するための形態】
【００１９】
以下、本発明の実施形態について、図面を参照しつつ説明する。なお、図面については、同一又は同等の要素には同一の符号を付し、重複する説明は省略する。
【００２０】
図１は、本発明の実施形態に係る情報処理システムのハードウェア構成の概要について説明するための図である。図１に示すように、情報処理システム１００は、ネットワーク１３０（例えば、インターネット）を介して接続されたサーバ１１０及び端末１２０を有する。なお、図１においては、情報処理システム１００は、１の端末１２０のみを有しているが、その他複数の端末１２０を有してもよい。
【００２１】
サーバ１１０は、制御部１１１、記憶部１１２、通信部１１３を含む。制御部１１１は、例えば、ＣＰＵ等であって、記憶部１１２に格納されたプログラムに従って動作する。記憶部１１２は、例えば、ハードディスクやＲＯＭやＲＡＭ等の情報記録媒体で構成され、制御部１１１によって実行されるプログラムを保持する情報記録媒体である。また、記憶部１１２は、制御部１１１のワークメモリとしても動作する。
【００２２】
通信部１１３は、ネットワークインターフェースであって、制御部１１１からの指示に応じて、ネットワーク１３０を介して、情報を送受信する。なお、制御部１１１、記憶部１１２、通信部１１３は、それぞれ、バス１１４を介して接続される。
【００２３】
また、端末１２０は、制御部１２１、通信部１２２、記憶部１２３、表示部１２４、操作部１２５を含む。同様に、各部１２０乃至１２５は、バス１２６を介して接続される。上述したサーバ１１０と同様に、制御部１２１は、例えば、ＣＰＵであって、記憶部１１２に格納されたプログラムに従って動作する。記憶部１２３は、例えば、ハードディスクやＲＯＭやＲＡＭ等の情報記録媒体で構成され、制御部１２１によって実行されるプログラムを保持する情報記録媒体である。また、記憶部１２３は、制御部１２１のワークメモリとしても動作する。
【００２４】
操作部１２５は、例えば、キーボード、マウス、ボタン等のインターフェースで構成され、ユーザの指示操作に応じて、当該指示操作の内容を制御部１２１に出力する。表示部１２４は、例えば、液晶ディスプレイ、ＣＲＴディスプレイ、または有機ＥＬディスプレイ等であって、制御部１２１からの指示に従い、情報を表示する。
【００２５】
なお、上記制御部１１１及び１２１で処理されるプログラムは、例えば、ネットワークを介して、ダウンロードされて提供されてもよいし、または、ＣＤ−ＲＯＭやＤＶＤ−ＲＯＭ等のコンピュータで読み取り可能な各種の情報記録媒体によって提供されてもよい。また、上記サーバ１１０や端末１２０の構成は一例であってこれに限定されるものではない。また、図１においては１の端末１２０のみを示したが、実際には、情報処理システム１００は、複数の端末１２０を有する。また、情報処理システム１００は、例えば、媒体の表面を光学的に読み取るスキャナなどのその他の装置を含んでもよい。
【００２６】
次に、本実施の形態における画像情報生成装置２００の制御部１２１の機能的構成の一例について説明する。なお、画像情報生成装置２００は、例えば、上記複数の端末１２０のうちの１の端末１２０に相当する。図２に示すように、例えば、画像情報生成装置２００の制御部１２１は、文書データ取得部２０１、ページ情報取得部２０２、サムネイル画像情報生成部２０３を含む。
【００２７】
文書データ取得部２０１は、複数のページからなる文書データを取得する。ここで、文書データとは、文書を含むデータの他、画像を含むデータ等であってもよい。具体的には、例えば、当該文書データは、承認を要する帳票が複数束ねられた文書データなどに相当する。また、例えば、文書データ取得部２０１は、サーバ１１０や端末１２０に記憶された文書データを取得してもよいし、情報処理システム１００に接続されたスキャナ（図示なし）等により読み込まれた文書データを取得するように構成してもよいし、その他の外部装置（図示なし）から取得されてもよい。
【００２８】
ページ情報取得部２０２は、上記文書データ取得部２０１により取得された文書データに対応するページ情報を取得する。ここで、ページ情報は、例えば、図３に示すように、サムネイル画像として表示される際に、文書データに含まれる複数のページのうち識別表示すべき領域が含まれるページを識別するページ情報識別情報及び当該識別表示されるページのうち識別表示される領域の位置情報を含む。例えば、図３は、ある文書データにういて、識別表示される領域を含むページが１、２、５ページであって、識別表示される領域の位置情報を（ｘ１、ｙ１）、（ｘ２、ｙ２）として示した。この場合、後述するように、１ページ目からなるグループ、２〜４ページからなるグループ等がグループ毎に表示される。また、ページ情報は、例えば、当該文書データを識別する文書データ識別情報を含む。なお、当該ページ情報は一例であってその他の形式であってもよい。また、上記のように、ページ情報取得部２０２は、例えば、サーバ１１０や端末１２０等からページ情報を取得する。更に、識別表示すべき領域が含まれるページを識別するページ情報識別情報は、後述する段組部４０４が段組表示するページを特定できる限り上記ページ識別情報の他段組表示の前のページと次のページの間で分割するための情報等その他の形式であってもよい。
【００２９】
サムネイル画像情報生成部２０３は、各ページに対応するサムネイル画像情報を順に上記ページ情報で識別されるページを含むグループ毎に行または列方向に分けて表示する。具体的には、サムネイル画像情報生成部２０３は、図４に示すように、例えば、サイズ算出部４０１、識別画像情報生成部４０２、サムネイル生成部４０３、段組部４０４を含む。
【００３０】
サイズ算出部４０１は、サムネイル画像のサイズ及び上記識別表示される領域の位置情報に基づいて、当該領域を拡大表示する場合のサイズを決定する。具体的には、例えば、サイズ算出部４０１は、拡大表示する場合のサイズが、サムネイル画像内に表示可能な最大の大きさにするサイズを算出する。なお、当該サイズの決定は上記に限られず、例えば、ユーザにより設定できるように構成してもよい。また、拡大表示するか否かについてもユーザが選択できるように構成してもよい。
【００３１】
識別画像情報生成部４０２は、上記領域をサムネイル画像において識別表示する識別画像情報を生成する。具体的には、例えば、図５に示すように、識別表示する領域として指定された日付けや承認に関する領域を吹き出しの形式や枠を付して識別表示する識別画像情報を生成する。なお、当該識別表示の形式は、ハイライト、色付けなどその他の形式であってもよい。また、例えば、当該領域は、上記サイズ算出部４０１で算出されたサイズで拡大表示する識別画像情報を生成する。
【００３２】
サムネイル生成部４０３は、上記文書データの各ページのサムネイル画像を表示するサムネイル画像情報を生成する。なお、サムネイル画像は、文書データの各ページを縮小表示等する画像であるが、サムネイル画像の生成等については周知であるため詳細についての説明は省略する。
【００３３】
段組部４０４は、上記ページ情報に基づいて、サムネイル生成部４０３で生成された各ページについてのサムネイル画像を段組表示するサムネイル画像情報を生成する。つまり、各ページのサムネイル画像を順に上記ページ情報で識別されるページを含むグループ毎に行又は列方向に分けて表示するサムネイル画像情報を生成する。そして、段組表示するサムネイル画像情報は、例えば、対応するユーザの端末１２０の表示部１２４に表示される。なお、段組部４０４は、対応するページ情報が存在しない場合、つまり、ページ情報取得部２０２が対応するページ情報を取得できない場合には、サムネイル画像情報生成部２０３は、１ページ毎に区切って縦または横方向に表示するサムネイル画像情報を生成する。
【００３４】
具体的には、段組部４０４は、例えば、図５に示すような段組表示するサムネイル画像情報を生成する。図５は、例えば、複数ページからなる文書データのサムネイル画像を行方向に段組表示した場合の一例を示す。ここで、図５は、ページ情報に１、２、５ページ目を識別表示するページ識別情報が含まれている場合を想定している。よって、１行目については文書データの１ページ目のサムネイル画像が、２行目については２乃至４ページ目が、３行目については４乃至５ページ目が表示されている。また、１ページ目、２ページ目の指定された領域については識別表示されている。なお、図５においては６ページ目についての識別表示については省略した。また、図５においては、行方向に段組表示する場合を示したが、列方向に段組表示するように構成してもよい。
【００３５】
次に、情報処理装置６００の制御部１２１の機能的構成の一例について説明する。なお、情報処理装置６００は、例えば、上記複数の端末１２０のうちの１の端末１２０に相当する。
【００３６】
図６に示すように情報処理装置６００の制御部１２１は、例えば、文書データ取得部６０１、領域指定部６０２、パターン情報取得部６０３、パターン認識部６０４、ページ情報生成部６０５を含む。
【００３７】
文書データ取得部６０１は、複数ページからなる文書データを取得する。なお、文書データの詳細については上記と同様である。
【００３８】
領域指定部６０２は、複数ページのうち、必要に応じて、識別表示する領域の位置及び当該識別表示する領域を含むページを指定する。具体的には、例えば、当該領域やページの指定については、ユーザが文書データの各ページを参照しつつ指定するように構成してもよい。また、後述するように文書データのパターンを認識し、当該パターンに応じて領域及びページを指定するように構成してもよい。
【００３９】
パターン情報取得部６０３は、文書データの複数のパターンに関するパターン情報を取得する。当該パターン情報は、例えば、文書データの所定の特徴に基づき、文書データに含まれるページがあらかじめ設定されたいずれのパターンであるかを示す情報に相当する。また、当該パターン情報は、上記領域の位置情報を含む。つまり、パターン毎に上記識別表示する領域の位置情報を含む。なお、具体的には、パターン情報は、例えば、帳票のパターンの画像情報や当該帳票中の日付けや承認に関する領域の位置情報を含む。
【００４０】
パターン認識部６０４は、上記パターン情報に基づいて、文書データのパターン及び当該パターンを含むページを特定するとともに、当該ページを識別するページ識別情報及び当該識別表示する位置情報を領域指定部６０２に送信する。
【００４１】
ページ情報生成部６０５は、各文書データに、領域指定部６０２により指定されたページ識別情報及び領域を示す位置情報を関連付けたページ情報を生成する。なお、当該ページ情報は、例えば、サーバ１１０の記憶部１１２等に記憶され、当該ページ情報は上記ページ情報取得部２０２により取得される。
【００４２】
上記画像情報生成装置２００や情報処理装置６００の機能的構成は一例であって、上記で示した構成と実質的に同一の構成、同一の作用効果を奏する構成又は同一の目的を達成することができる構成で置き換えてもよい。
【００４３】
例えば、上記においては、識別表示する領域を拡大表示する場合、画像情報生成装置２００側で当該拡大表示する際のサイズ等を決定する構成について説明したが、情報処理装置６００側で当該処理を行うように構成してもよい。この場合、例えば、サイズ算出部４０１や識別画像情報生成部４０２を情報処理装置６００側に設け、識別画像情報をページ情報に関連付けて記憶し、画像情報生成装置２００が取得したページ情報に基づいて当該記憶された識別画像情報を取得するように構成してもよい。また、画像情報生成装置２００または情報処理装置６００の機能的構成の一部または全部をサーバや情報処理装置６００または画像生成装置に設けるように構成してもよい。
【００４４】
次に、情報処理装置６００の処理のフローの一例について説明する。図７に示すように、まず、文書データ取得部６０１は、複数ページからなる文書データを取得する（Ｓ１０１）。パターン情報取得部６０３は、文書データの複数のパターンに関するパターン情報を取得する（Ｓ１０２）。
【００４５】
パターン認識部６０４は、上記パターン情報に基づいて、文書データのパターン及び当該パターンを含むページを特定するとともに、当該ページを識別するページ識別情報及び当該識別表示する位置情報を領域指定部６０２に送信する（Ｓ１０３）。領域指定部６０２は、識別表示する領域の位置情報及び当該識別表示する領域を含むページを指定する（Ｓ１０４）。具体的には、領域指定部６０２は、例えば、パターン認識部６０４からのページ識別情報及び当該識別表示する位置情報に基づいて当該領域を指定してもよいし、ユーザが文書データを表示部に参照しつつ当該領域を指定するように構成してもよい。
【００４６】
ページ情報生成部６０５は、各文書データに、領域指定部６０２により指定されたページ識別情報及び領域を示す位置情報を関連付けたページ情報を生成する（Ｓ１０５）。当該ページ情報は、文書を識別する文書識別情報に関連付けて、例えば、サーバ１１０の記憶部１１２に記憶される（Ｓ１０６）。そして、処理を終了する。
【００４７】
なお、上記情報処理装置６００の処理のフローは一例であって、上記で示したフローと実質的に同一の構成、同一の作用効果を奏する構成又は同一の目的を達成することができる構成で置き換えてもよい。例えば、パターン認識をしない場合には、Ｓ１０２は省略される。
【００４８】
次に、図８を用いて、画像情報生成装置２００の処理のフローの一例について説明する。図８に示すように、文書データ取得部２０１は、複数のページからなる文書データを取得する（Ｓ２０１）。ページ情報取得部２０２は、文書データ取得部２０１により取得された文書データに対応するページ情報を取得する（Ｓ２０２）。
【００４９】
サイズ算出部４０１は、サムネイルのサイズ及び上記識別表示される領域の位置情報に基づいて、当該領域を拡大表示する場合のサイズを決定する（Ｓ２０３）。識別画像情報生成部４０２は、上記領域をサムネイル画像に識別表示する識別画像情報を生成する（Ｓ２０４）。
【００５０】
サムネイル画像情報生成部２０３は、上記文書データの各ページのサムネイル画像を表示するサムネイル画像情報を生成する（Ｓ２０５）。段組部４０４は、上記ページ情報に基づいて、サムネイル画像情報生成部２０３で生成された各ページについてのサムネイル画像を段組表示するサムネイル画像情報を生成する。なお、段組部４０４は、Ｓ２０２でページ情報に識別情報が存在しない場合には、サムネイル画像情報生成部２０３は、１ページ毎に区切って縦または横方向に表示するサムネイル画像情報を生成する（Ｓ２０６）。また、当該サムネイル画像情報には、Ｓ２０４で生成された識別画像情報が含まれる。当該サムネイル画像情報は、端末の表示部に表示される（Ｓ２０７）。そして処理を終了する。
【００５１】
上記画像情報生成装置２００の処理のフローは一例であって、上記で示したフローと実質的に同一の構成、同一の作用効果を奏する構成又は同一の目的を達成することができる構成で置き換えてもよい。
【００５２】
本発明は、上記実施の形態に限定されるものではなく、上記実施の形態で示した構成と実質的に同一の構成、同一の作用効果を奏する構成又は同一の目的を達成することができる構成で置き換えてもよい。
【００５３】
具体的には、例えば、図９に示すように、サムネイル画像情報生成部２０３は、更に、作業情報生成部４０５を有し、識別表示する領域に含まれる情報を表の形式で作業情報として画面に別ウィンドウで表示する作業情報を生成するように構成してもよい。具体的には、例えば、文書データが２枚組で１００セットある場合のように、サムネイル画像を表示すると、表示画面に収まらないような場合に上記のように構成する。この場合、例えば、作業情報は、表の形式で文書データのページに関連付けて識別表示する領域に含まれる情報が表示される。そして、当該表の項目を識別表示した場合には、当該項目に対応するサムネイル画像中の領域が識別表示されるように構成してもよい。また、当該表の項目に情報を入力することにより、対応する文書データの項目が編集されるように構成してもよい。また、表の項目を順に推移させることにより表示されるサムネイル画像も推移するように構成してもよい。更に、上記表の形式の他、サムネイル画像に関連付けた確認したことをチェックするリストやチェックボックスなどを表示するように構成してもよい。
【００５４】
具体的には、例えば、図１０に示した表の４ページ目の項目をカーソルで選択した状態から、６ページ目の項目にカーソルを移動すると、図１１に示すように、文書データの３ページ目から８ページまでに対応するサムネイル画像が表示画面に表示されるとともに、６ページ目の領域が識別表示される等である。また、この場合、図１０、１１に示すように、カーソルで指定したページを含む行に対応するサムネイル画像が識別表示されるように構成してもよい。なお、図１０及び図１１においては、表示画面上に３行毎にサムネイル画像が表示される場合を想定したが、これに限られるものではない。また、例えば、
【００５５】
また、図１２及び図１３に示すように、文書データ中に余計なページが混入した場合、当該余計なページを削除するように構成してもよい。例えば、図１１に示すように、文書データの２ページ目に誤って余計なページが混入している場合、識別表示する領域の位置情報に基づいて、３ページ目に誤った領域が識別表示され、意味のわからない情報（図１１の「してあり」）が表示される場合がある。この場合、ユーザが当該情報を認識し、削除指示することにより、上記余計なページを削除し、図１２に示すような正しい表示が行われる。なお、特許請求の範囲におけるページ指定手段及び領域指定手段は、例えば、図６の領域指定部６０２に相当する。
【符号の説明】
【００５６】
１００  文書管理システム、１１０  サーバ、１１１，１２１  制御部、１１２，１２３  記憶部、１１３，１２２  通信部、１２０  端末、１２４  表示部、１２５  操作部、２００  画像情報生成装置、２０１  文書データ取得部、２０２  ページ情報取得部、２０３  サムネイル画像情報生成部、４０１  サイズ算出部、４０２  識別画像情報生成部、４０３  サムネイル生成部、４０４  段組部、４０５  作業情報生成部、６００  情報処理装置、６０１  文書データ取得部、６０２  領域指定部、６０３  パターン情報取得部、６０４  パターン認識部、６０５  ページ情報生成部。
【図１】
2014112333.tif 000003
【図２】
2014112333.tif 000004
【図３】
2014112333.tif 000005
【図４】
2014112333.tif 000006
【図５】
2014112333.tif 000007
【図６】
2014112333.tif 000008
【図７】
2014112333.tif 000009
【図８】
2014112333.tif 000010
【図９】
2014112333.tif 000011
【図１０】
2014112333.tif 000012
【図１１】
2014112333.tif 000013
【図１２】
2014112333.tif 000014
【図１３】
2014112333.tif 000015